(57)【特許請求の範囲】
【請求項１】
少なくとも前面と背面に開放部を有する筐体本体と、該筐体本体の前面開放部を開閉する前扉と、該筐体本体の背面開放部に装備される後パネルと、を備えた筐体構造であって、
前記筐体本体は、前記背面開放部側に張出した底板上面の左右両端部にヒンジ突起、又はヒンジ穴を有しており、
前記後パネルとして、前記ヒンジ突起又はヒンジ穴と嵌合するヒンジ穴又はヒンジ突起を下端の左右両側に有する閉止固定用の後パネルを用いて、前記筐体本体の前記ヒンジ突起又はヒンジ穴を、前記後パネルのヒンジ穴又はヒンジ突起に嵌合した状態で、該後パネルの上部適所を前記筐体本体に設けた固定部に固定するか、
前記後パネルとして、前記筐体本体に設けた前記ヒンジ突起又はヒンジ穴の一つと嵌合するヒンジ穴又はヒンジ突起を下端の左右いずれか一方に有すると共に下端の他方を前記筐体本体に設けた前記ヒンジ突起又はヒンジ穴と干渉しない形状とした開閉可能な後扉用の後パネルを用いて、前記筐体本体の前記ヒンジ突起又はヒンジ穴を、前記後パネル下端のヒンジ穴又はヒンジ突起に嵌合した状態で、該後パネルの上部適所を前記筐体本体の上部に設けた軸支部により回動自在に支持するか、
を選択することによって、前記背面開放部を閉止固定するか開閉自在にするかを変更可能としたことを特徴とする筐体構造。
【請求項２】
少なくとも前面と背面に開放部を有する筐体本体と、該筐体本体の前面開放部を開閉する前扉と、該筐体本体の背面開放部に装備される後パネルと、を備えた筐体構造であって、
前記筐体本体は、前記背面開放部側に張出した底板上面の左右両端部にヒンジ突起、又はヒンジ穴を有しており、
前記後パネルとして、前記ヒンジ突起又はヒンジ穴と嵌合するヒンジ穴又はヒンジ突起を下端の左右両側に有する閉止固定用の後パネルを用いて、前記筐体本体の前記ヒンジ突起又はヒンジ穴を、前記後パネルのヒンジ穴又はヒンジ突起に嵌合した状態で、該後パネルの上部適所を前記筐体本体に設けた固定部に固定するか、
前記後パネルとして、前記筐体本体に設けた前記ヒンジ突起又はヒンジ穴の一つと嵌合するヒンジ穴又はヒンジ突起を下端の左又は右に夫々有する２枚で構成された開閉可能な後扉用の後パネルを用いて、前記筐体本体の前記ヒンジ突起又はヒンジ穴を、前記各後パネル下端のヒンジ穴又はヒンジ突起に嵌合した状態で、各後パネルの上部適所を前記筐体本体の上部に設けた軸支部により観音開き式に回動自在に支持するか、
を選択することによって、前記背面開放部を閉止固定するか観音開き式に開閉自在にするかを変更可能としたことを特徴とする筐体構造。
【発明の詳細な説明】
【技術分野】
【０００１】
本発明は自動券売機等の自動販売機、情報端末装置等を構成する筐体構造の改良に関する。
【背景技術】
【０００２】
自動券売機等の自動販売機、金銭払出装置、情報端末装置等の各種装置類は、金属製の筐体内に機械部品、電気部品、電子部品等を収容した構成を備えている。
これらの装置類にあっては、筐体内部の各構成要素に対してメンテナンスを行ったり、券類、物品、金銭等を出入れするために、筐体の前面、背面、その他の部位に開放部を設けておき、この開放部を扉によって開閉するように構成されている。筐体の前面には操作部、表示部等を備えた前扉を開閉自在に支持するのが一般的である。
【０００３】
また、筐体の前面開放部だけを開放することによってメンテナンス等を行うようにした機種にあっては、前面開放部に前扉を軸支するための構造を備えた専用の筐体構造を使用するのが一般的である。また、筐体の背面側にも開放部を形成し、これを開放することによってメンテナンス等を行うようにした機種を製作する場合には、背面開放部に後扉を軸支するための構造を備えた専用の筐体構造を使用するのが一般であった。つまり、従来の筐体構造にあっては、開放部の位置の違いに応じて筐体構造を異ならせるのが一般であった。従って、この種の機器を製造するメーカーは、開放部の位置の違いに応じて構造の異なる専用筐体を予め複数種類用意しておく必要があり、部品管理の繁雑化、コスト増といった不具合を甘受せざるを得ない状況にあった。
【０００４】
特許文献１にはスキー場等に設置されるリフト利用カード販売機において、筐体の前面を開閉する販売操作部を備えた外扉の他に、筐体の背面開放部を開閉する内側（屋内側）のメンテナンス扉を配置することによって屋内側からメンテナンス等を実施することができるようにした構成が開示されている。
しかし、この従来例における筐体構造にあっては、筐体の背面開放部にメンテナンス扉を開閉自在に軸支するためのヒンジ機構を予め固定的に設けておく必要がある。従って、筐体の背面開放部に対してパネルを開閉不能に固定することはできなかった。つまり、この筐体構造を利用して背面開放部をパネルにより固定的に閉止した構造（前扉だけを開閉自在にした構造）の筐体構造を製作することは不可能であった。筐体の背面開放部に対してパネルを固定するためにはパネルを固定する構造を備えた別個の筐体構造を製作する必要があった。
【特許文献１】特開平８−３１５２３５号公報
【発明の開示】
【発明が解決しようとする課題】
【０００５】
以上のように従来の機械装置、電気装置、電子装置等の筐体構造にあっては、操作者が位置する筐体前面側に前扉を開閉自在に軸支する場合には前扉を軸支するための専用構造を備えた筐体を準備する必要があり、背面側の後扉をも開閉自在に支持する場合には後扉を支持するための専用構造を備えた筐体を別途準備する必要があった。更に、開閉自在に後扉を軸支する構造を背面開放部に備えた筐体においては、後パネルを背面開放部に開閉不能に固定することはできないため、後パネルを固定するための専用構造を備えた筐体を別途用意する必要があった。このため、部品コスト、部品の管理手数等が増大するという問題があった。
【０００６】
本発明は上記に鑑みてなされたものであり、前面開放部を開閉する前扉を備えた筐体の背面開放部に対して後扉を開閉自在に軸支したり、或いは開閉不能に固定することが可能な共通構造の筐体を提供することを目的としている。
【課題を解決するための手段】
【０００７】
上記目的を達成するため、請求項１の発明は、少なくとも前面と背面に開放部を有する筐体本体と、該筐体本体の前面開放部を開閉する前扉と、該筐体本体の背面開放部に装備される後パネルと、を備えた筐体構造であって、前記筐体本体は、前記背面開放部側に張出した底板上面の左右両端部にヒンジ突起、又はヒンジ穴を有しており、前記後パネルとして、前記ヒンジ突起又はヒンジ穴と嵌合するヒンジ穴又はヒンジ突起を下端の左右両側に有する閉止固定用の後パネルを用いて、前記筐体本体の前記ヒンジ突起又はヒンジ穴を、前記後パネルのヒンジ穴又はヒンジ突起に嵌合した状態で、該後パネルの上部適所を前記筐体本体に設けた固定部に固定するか、前記後パネルとして、前記筐体本体に設けた前記ヒンジ突起又はヒンジ穴の一つと嵌合するヒンジ穴又はヒンジ突起を下端の左右いずれか一方に有すると共に下端の他方を前記筐体本体に設けた前記ヒンジ突起又はヒンジ穴と干渉しない形状とした開閉可能な後扉用の後パネルを用いて、前記筐体本体の前記ヒンジ突起又はヒンジ穴を、前記後パネル下端のヒンジ穴又はヒンジ突起に嵌合した状態で、該後パネルの上部適所を前記筐体本体の上部に設けた軸支部により回動自在に支持するか、を選択することによって、前記背面開放部を閉止固定するか開閉自在にするかを変更可能としたことを特徴とする。
筐体本体の底板に設けた２つのヒンジ突起（ヒンジ穴）と、後パネルに設けた２つのヒンジ穴（ヒンジ突起）とは、互いに嵌合し合うことにより後パネルを背面開放部に固定するための機構を構成する。このヒンジ突起（ヒンジ穴）を備えた筐体本体は、背面開放部に対して開閉自在に後パネルを軸支する場合にも利用することができ、筐体本体側に設けたヒンジ突起（ヒンジ穴）のうちの一方を、後パネル（後扉）に設けたヒンジ穴（ヒンジ突起）に嵌合させることにより、同一構造の筐体本体を用いて後パネルを水平方向へ開閉自在に構成することもできる。つまり、本発明の筐体本体は、後パネルを背面開放部に固定したり、開閉自在に軸支するための、共通の軸支構造を備えている。
【０００８】
請求項２の発明は、少なくとも前面と背面に開放部を有する筐体本体と、該筐体本体の前面開放部を開閉する前扉と、該筐体本体の背面開放部に装備される後パネルと、を備えた筐体構造であって、前記筐体本体は、前記背面開放部側に張出した底板上面の左右両端部にヒンジ突起、又はヒンジ穴を有しており、前記後パネルとして、前記ヒンジ突起又はヒンジ穴と嵌合するヒンジ穴又はヒンジ突起を下端の左右両側に有する閉止固定用の後パネルを用いて、前記筐体本体の前記ヒンジ突起又はヒンジ穴を、前記後パネルのヒンジ穴又はヒンジ突起に嵌合した状態で、該後パネルの上部適所を前記筐体本体に設けた固定部に固定するか、前記後パネルとして、前記筐体本体に設けた前記ヒンジ突起又はヒンジ穴の一つと嵌合するヒンジ穴又はヒンジ突起を下端の左又は右に夫々有する２枚で構成された開閉可能な後扉用の後パネルを用いて、前記筐体本体の前記ヒンジ突起又はヒンジ穴を、前記各後パネル下端のヒンジ穴又はヒンジ突起に嵌合した状態で、各後パネルの上部適所を前記筐体本体の上部に設けた軸支部により観音開き式に回動自在に支持するか、を選択することによって、前記背面開放部を閉止固定するか観音開き式に開閉自在にするかを変更可能としたことを特徴とする。
筐体本体の底板に設けた２つのヒンジ突起（ヒンジ穴）と、後パネルに設けた２つのヒンジ穴（ヒンジ突起）とは、互いに嵌合し合うことにより後パネルを背面開放部に固定するための機構を構成する。このヒンジ突起（ヒンジ穴）を備えた筐体本体は、背面開放部に対して観音開き式に開閉自在に後パネルを軸支する場合にも利用することができ、前記筐体本体の底板上面に２個の前記ヒンジ突起、又は前記ヒンジ穴を離間配置し、前記各ヒンジ突起、又は各ヒンジ穴 に対して夫々別個の後パネルを回動自在に軸支すると共に前記軸支部によって軸支することにより各後パネルを観音開き式に開閉するように構成することもできる。つまり、本発明の筐体本体は、後パネルを背面開放部に固定したり、開閉自在に軸支するための、共通の軸支構造を備えている。
【発明の効果】
【００１１】
以上のように本発明では、筐体本体の前面開放部を開閉する前扉と、筐体本体の背面開放部に装備される後パネルと、を備えた筐体構造において、背面開放部に近接した筐体本体の底板上面にはヒンジ突起、又はヒンジ穴を備え、後パネルの下端に、ヒンジ突起又はヒンジ突起と嵌合するヒンジ穴又はヒンジ突起を設けたので、同一の筐体本体を用いてその背面開放部に対して後パネルを開閉不能に固定したり、或いは後パネルを開閉自在に軸支することが可能となる。その際、筐体本体側に固定部、或いは軸支部を着脱するだけで所要の目的を達成することが可能となる。従って、背面開放部に後パネルを閉止固定するか、開閉自在に軸支するかの目的の違いに応じて異なった専用構造の筐体を用意する必要がなくなり、部品管理手数の低減、コスト低減を実現することが可能となる。
【発明を実施するための最良の形態】
【００１２】
以下、本発明を図面に示した実施の形態により詳細に説明する。
【００１３】
図１は本発明の一実施形態に係る筐体構造の構成（後パネルの閉止固定構造）を示す斜視図であり、この筐体構造１は、前面と背面に夫々開放部３、４を備えた筐体本体２と、筐体本体２の前面開放部３を開閉するために図示しない軸支機構により軸支された前扉１０と、筐体本体の背面開放部４に装備される後パネル２０と、を備えている。
この筐体構造１は例えば券売機の外装構造体に利用されるものであり、前扉１０の前面には操作スイッチ、表示部、金銭投入口、金銭払出口等が設けられる。筐体本体２の内部に配置される各種部品、ユニットについては図示を省略する。
【００１４】
この筐体構造１の特徴的な構成は、筐体本体２の底板５の背面開放部側に設けた張出し部５ａ上にヒンジ突起（又はヒンジ穴）６を設け、更に後パネル２０の下端面にはヒンジ突起（又はヒンジ穴）６と嵌合するヒンジ穴（又はヒンジ突起）２１を設けた点にある。
ヒンジ突起６は底板５の左右両端部に夫々一個ずつ突設し、後パネル２０の底面両端部に設けたヒンジ穴２１を各ヒンジ突起６に嵌合することにより後パネル２０を底板の張出し部５ａ上に立設し得るように構成する。
更に後パネル２０を筐体本体の背面開放部４に対して閉止固定するために、背面開放部４の上部適所、及び後パネル２０には夫々固定部３０（３１、３２）を設ける。この例では、背面開放部４の両側壁の端縁にネジ止め固定した固定部３０（３１）は、後パネル固定用のネジ穴等を備えたブラケットであり、後パネル２０側の対応する位置に設けた固定部３０（３２）はネジ穴である。両固定部３１、３２間をネジ３３等により連結固定することにより後パネル２０は背面開放部４を閉止した状態で固定される。
【００１５】
なお、この例では底板５上に２本のヒンジ突起（又はヒンジ穴）６を突設したが、張出し部５ａ上の一方をヒンジ突起とし、他方をヒンジ穴としてもよい。この場合には、後パネル２０の底面の対応する位置に夫々ヒンジ穴とヒンジ突起を設けた嵌合構造を構築する。
背面開放部４に対して後パネル（後扉）を開閉自在に軸支する場合には、固定部３０を取り外してもよい。
【００１６】
次に、図２は図１に示した筐体本体２を用いて、後パネルとしての２枚の後扉２５を観音開き式に軸支した構成例を示している。
即ち、この筐体構造１は、筐体本体２の底板の張出し部５ａ上に突設した２つのヒンジ突起６（又はヒンジ穴）を夫々各後扉２５の底面に夫々設けた一つのヒンジ穴２１（又はヒンジ突起）に一対一の関係で嵌合した状態で、各後扉（後パネル）２５の上部適所を開閉（回動）自在に支持する軸支部４０によって開閉自在に支持した構成が特徴的である。
即ち、この例では、筐体本体２の底板５の張出し部５ａの上面に離間配置された２個のヒンジ突起（又はヒンジ穴）６により、夫々２枚の後扉２５に設けた一つのヒンジ穴２１（又はヒンジ突起）を開閉自在に軸支すると共に、上部を各軸支部４０によって軸支することにより各後扉２５を観音開き式に開閉するように構成している。
【００１７】
軸支部４０はブラケット４１を備え、このブラケット４１は筐体本体２の天板の後部両角隅部に設けた穴に対して一端部を着脱自在にネジ止め固定される一方で、他端部を後方に突出させている。各ブラケット４１の後方への突出部には、各後扉２５の上部に設けた図示しないヒンジ突起（又はヒンジ穴）と嵌合するヒンジ穴（又はヒンジ突起）を設けている。このため、下面側をヒンジ突起６により軸支された各後扉２５の上部を軸支部４０によって軸支することにより、各後扉２５は独立別個に開閉自在となる。
【００１８】
なお、この例では２枚の後扉２５を観音開き式に支持したが、一枚の後扉（後パネル）を用いて背面開放部４を開閉自在に構成してもよい。即ち、図３は本発明の他の実施形態であり、この実施形態に係る筐体構造１は上記各実施形態に係る筐体構造と同様の筐体本体２を備えている。
この例では、２つのヒンジ突起（又はヒンジ穴）６の内の一方６ａに対して、一枚の後扉（後パネル）２６の底面一端部に設けたヒンジ穴（又はヒンジ突起）２７を嵌合させると共に、後扉２６の上部を軸支部４０によって回動自在に軸支する。後扉２６は背面開放部４を全面的に閉止できる面積、形状を有しており、筐体本体側に設けた他方のヒンジ突起６ｂと対応する部位には切欠き２８を設けて後扉２６が閉止した状態におけるヒンジ突起６ｂとの干渉を防止する。
なお、他方のヒンジ突起６ｂの位置にヒンジ穴が形成されている場合には、切欠き２８は不要となる。
【００１９】
このように上記各実施形態に係る本発明の筐体構造では、筐体本体２の前面開放部３を開閉する前扉１０と、筐体本体の背面開放部４に装備される後パネル２０、２５、２６と、を備えた筐体構造１において、背面開放部に近接した筐体本体の底板上面にはヒンジ突起、又はヒンジ穴６を備え、後パネルの下端に、ヒンジ突起又はヒンジ突起と嵌合するヒンジ穴又はヒンジ突起を設けたので、同一の筐体本体を用いてその背面開放部に対して後パネルを開閉不能に固定したり、或いは後パネルを開閉自在に軸支することが可能となる。その際、筐体本体側に固定部３０、或いは軸支部４０を着脱するだけで所要の目的を達成することが可能となる。従って、背面開放部に後パネルを閉止固定するか、開閉自在に軸支するかの目的の違いに応じて異なった専用構造の筐体を用意する必要がなくなり、部品管理手数の低減、コスト低減を実現することが可能となる。
【００２０】
なお、本発明は少なくとも前面と背面に開放部を備えた筐体構造一般に適用することができるものである。
【図面の簡単な説明】
【００２１】
【図１】本発明の一実施形態に係る筐体構造の構成（後パネルの閉止固定構造）を示す斜視図である。
【図２】図１に示した筐体本体を用い、且つ後パネルとしての２枚の後扉を観音開き式に軸支した構成例を示した図である。
【図３】他の実施形態に係る筐体構造を示す図である。
【符号の説明】
【００２２】
１…筐体構造、２…筐体本体、３…前面開放部、４…背面開放部、５…底板、６…ヒンジ突起、５ａ…張出し部、１０…前扉、２０…後パネル、２１…ヒンジ穴、２５…後扉、２６…後パネル、３０…固定部、３１、３２…固定部、３３…ネジ、４０…軸支部、４１…ブラケット。
【図１】
0005130505.tif 000002
【図２】
0005130505.tif 000003
【図３】
0005130505.tif 000004